(57)【要約】 紫外線放射手段を有するエンクロージャと乱流および混合生成手段を有する複数のプレートを備えた触媒とを備える、バラスト水を処理するための装置および方法であって、前記触媒プレートが、前記エンクロージャ内に配置されること、および、この触媒が、穿孔、穴、打抜、構造化プレス、波形化および溝からなる群からの手段の一つ以上から選択される乱流および混合生成手段を有すること、を特徴とする、装置および手段。本発明はさらに、船舶内のバラスト水を処理するためのシステムおよび前記システムの使用にも関する。【選択図】図５
2010504199.tif 000002
【特許請求の範囲】
【請求項１】
バラスト水を処理するための装置であって、紫外線放射手段を有するエンクロージャと、乱流および混合生成手段を有する複数のプレートを備える触媒と、を備え、前記触媒プレートが、前記エンクロージャ内に配置されること、および、前記触媒が穿孔、穴、打抜、構造化プレス、波形化および溝からなる群からの手段の一つ以上から選択される乱流および混合生成手段を有すること、を特徴とする装置。
【請求項２】
請求項１に記載の装置であって、前記紫外線放射手段が前記触媒プレートしかし行っているように、前記触媒プレートが配置される、ことを特徴とする装置。
【請求項３】
請求項１または２に記載の装置であって、前記紫外線放射手段が、約１３０から約４００ｎｍまでの範囲内の光を放射している、ことを特徴とする装置。
【請求項４】
請求項３に記載の装置であって、前記紫外線放射手段が、少なくとも１８７ｎｍの領域および２５４ｎｍの領域内の光を放射している、ことを特徴とする装置。
【請求項５】
先行する請求項のいずれか一つに記載の装置であって、前記触媒が、貴金属、アルミニウム酸化物、酸化チタン、酸化シリコンおよびその混合物のような、金属、金属酸化物または両方を備える、ことを特徴とする装置。
【請求項６】
先行する請求項のいずれか一つに記載の装置であって、前記装置がさらに、紫外線光反射手段を備える、ことを特徴とする装置。
【請求項７】
請求項６に記載の装置であって、前記紫外線光反射手段が、ＰＴＦＥでできている手段である、ことを特徴とする装置。
【請求項８】
請求項６または７に記載の装置であって、前記紫外線光反射手段が、触媒材料を更に備える、ことを特徴とする装置。
【請求項９】
請求項２に記載の装置であって、前記紫外線生成手段が、紫外線ランプを備え、前記紫外線ランプが、細長い紫外線透過性チューブ内に配置され、および、前記チューブが、前記液体の流れ方向に対して概ね横方向に配置される、ことを特徴とする装置。
【請求項１０】
先行する請求項のいずれかに記載の装置であって、前記触媒が、各プレートの間に特定の距離で、スタックで配置される複数のプレートを備え、前記ランプが前記スタックを通して配置され、前記プレートの延長部分が、前記液体の前記流れ方向と概ね一致する、ことを特徴とする装置。
【請求項１１】
先行する請求項のいずれかに記載の装置であって、前記エンクロージャ内に配置される複数のランプがあり、各ランプが、プレートのスタックを通して配置され、および、各スタックの間に距離があり、前記スタックに入り、かつ出る場合に、前記液体の乱流および混合を可能にする、ことを特徴とする装置。
【請求項１２】
請求項１１に記載の装置であって、前記プレートが、前縁が鋭く、かつ後縁が丸いような断面設計を有する、ことを特徴とする装置。
【請求項１３】
船舶内のバラスト水を処理するためのシステムであって、複数のバラスト水タンクに接続するパイピングと、前記バラスト水タンクに、および、それから、バラスト水を搬送するためのポンプと、前記船舶を取り囲む水と、を備え、それが、請求項１ないし１２のいずれかに従う装置を更に備える、ことを特徴とするシステム。
【請求項１４】
船舶内のバラスト水を処理するための請求項１３に従うシステムの使用。
【請求項１５】
バラスト水を処理するための方法であって、酸素の存在で約１３０から約４００ｎｍまでの範囲内の波長を有する紫外線光（ＵＶ）によるバラスト水の放射、およびオゾンの形成のための触媒および反応区域内のフリーラジカル、を備え、前記触媒が複数のプレートを備え、そのプレートが、乱流および混合生成手段に前記バラスト水をさらすことによって、混合するかまたは乱流を作り出す、前記乱流および混合生成手段を有し、この手段が、穿孔、穴、打抜、構造化プレス、波形化および溝からなる群からの手段の一つ以上から選択される、ことを特徴とする方法。
【発明の詳細な説明】
【技術分野】
【０００１】
本発明は、液体を処理するための方法、特に、光触媒反応によって液体内の有害な生物を除去するかまたは撲滅するために液体を浄化するための方法に関する。
【背景技術】
【０００２】
汚染された液体および特に水の環境影響に関する要求が増大している。きれいで汚染されてない水に対するアクセスが、世界で主要な問題になってきた。これには、真水同じく塩水の両方が必要になる。真水源の多くが人によって汚染されるにつれて、世界の多くの地域の真水供給が同時に、限られている。
【０００３】
塩水に関しては、何十年もの間、化学薬品、原油、ガソリン、重金属および工場煙突からの煤煙のような、各種の有害で汚染する物質が海に廃棄され、この汚染物質は、海の微妙な生物学的バランスに影響を及ぼす。
【０００４】
海の生物学的バランスはまた、バラスト水処理に起因して人によって影響されてきた。船舶が貨物で満載されない場合、船舶はそれらを安定させるために満たされるバラスト水タンクを準備している。すなわち、船舶がたとえば黒海の港でその貨物を下ろし、そして次に、紅海の港で別の貨物を受け取る指示を受ける場合、それは、黒海からの海水によってそのバラスト水タンクを満たす。船舶が次いで紅海の港に着くと、それは新しい貨物を受け取るためにバラスト水タンクを空にする。したがって、黒海の水内にあった生物種が、紅海に搬送された。搬送された生物種は、紅海の通常の生物種とは完全に異なるかもしれず、したがって、これによって大きな環境上の問題が生じる可能性がある。それらの通常の環境から新しい環境まで搬送される生物種によって、例えばそれらが新しい環境内に何の通常の敵も持たないことに起因して、その場所の生物種が、搬送された生物種から疾患を得て、絶滅される、など、大きな問題が生じる可能性があることはよく知られている。拡散された場合に主要な環境上の問題として認識されているいくつかの生物種は、少しだけ例を挙げると、コレラ、海草、有毒藻類および、カラスガイである。約３０億〜５０億トンのバラスト水が世界中で搬送されていると推定される。これが主要問題になり、国連の国際海洋機構が、２００９年からの開始とともに、全ての商船にバラスト水を処理するための特別なシステムを装備して使用することを要求する条約を公布したことは、したがって驚くべきでない。
【０００５】
塩化物が共通して使われる化学薬品のような水を処理して浄化するために、多くのシステムが開発されてきた。多くの化学薬品が環境上に有する負のインパクトを減少させるために、化学薬品を使用せず、しかし、それを浄化するために水内の生物を殺すのに他の効果に依存するシステムが、開発された。
【０００６】
飲用水設備および入浴施設でオゾン（Ｏ３）、更には物品のクリーニング、消毒および殺菌のために水内に溶解されるオゾン、によって水を浄化するための方法が、数ヶ国で開発されている。オゾンの反応能力（２．０７Ｖの電気化学的酸化電位）は、それが強力な酸化剤であることに起因する。高い化学的反応性は他の分子から電子を求める不安定な電子配置と連結され、それはしたがって、フリーラジカルが形成されることを意味する。このプロセスにおいて、オゾン分子が分解される。その酸化効果によって、オゾンは特定の無機および有機物質上に迅速に働く。
【０００７】
特定の炭化水素、サッカライド、殺虫剤、その他に関するその酸化効果は、オゾンが特定のプロセスで良い選択の化学薬品であることを意味することができる。オゾン、酸素、ヒドロペルオキシドおよび紫外線の組合せは、その反応がより多くのフリーラジカルの生成のおかげでずっとすばやくかつより効率的に進行することを意味する。光分解および光触媒プロセスは、生物を分解するのに用いられ、それらを無害にし、および、このため、異なる波長を備えた光が使われる。使用する共通スペクトルの１つは、紫外線光であり、そこで特定の波長が所望の効果を作り出す際に他と比べてより効果的である。例えば、２００ｎｍを下回る波長は液体内の酸素からオゾンを作り出す際に良い効果を有し、このオゾンが、生物と化学反応する。この効果を高めるために、いくつかの方法が、オゾンの生成を促進するために追加の酸素を使用する。
【０００８】
別の方法はオゾンを分解して、オゾンより強力なラジカルを作り出すために特定の波長の紫外線によって作り出されたオゾンを放射することである。この種の方法は、（特許文献１）内に開示され、処理されるべき媒体が、ある形状のエンクロージャ内に導入される。このエンクロージャ内で、媒体は１３０−４００ｎｍの範囲内の分光分布を備えた紫外線にさらされる。
【０００９】
特に、２００ｎｍを下回る波長は、媒体内の酸素をオゾン分子（Ｏ３）に変換する。形成されるオゾン分子は上述の波長範囲内の、特に−４００ｎｍの波長の、放射線によって同時に分解される。同時に、形成されたＯ２が分解されて原子酸素を形成する。
【００１０】
フリーラジカル、特にＨＯ′ラジカルの生成中の効率を向上するために、触媒が活用されて、オゾンがフリーラジカルに分解される区域内に配置される。触媒に用いられる材料は、貴金属、アルミニウム酸化物、酸化チタン、酸化シリコンおよびその混合物のような、金属および／または金属酸化物を備えることができる。
【００１１】
高い塩分レベルを有する海水を処理することのような、用途のいくつかの領域において、塩水内の塩素イオンが、オゾン形成に必要な紫外線波長を吸収したので、オゾンを作り出して、分解する上述した方法は、期待ほどはうまく働かなかった。
【先行技術文献】
【特許文献】
【００１２】
【特許文献１】ＥＰ  ０  ８００  ４０７
【発明の概要】
【発明が解決しようとする課題】
【００１３】
本発明の目的は、オゾンを生成する組み合わせのプラスの効果を活用することであり、同時に、きわめて高度の浄化および生物の死滅を確実にするためにきわめて有効な方法で、（特許文献１）に従って本発明の基盤を形成するフリーラジカルの発生を高めるために、触媒が存在する領域内で、オゾンを分解してフリーラジカルを形成することである。
【課題を解決するための手段】
【００１４】
この目的は、独立特許請求項の特徴によって得られる。本発明の好ましい実施態様は、従属特許請求項内に見いだされる。
【００１５】
本発明の主要な態様に従って、それは、紫外線放射手段を有するエンクロージャと乱流および混合生成手段を有する複数のプレートを備えた触媒とを備える、バラスト水を処理するための装置であって、前記触媒プレートが、前記エンクロージャ内に配置されること、および、この触媒が、穿孔、穴、打抜、構造化プレス、波形化および溝からなる群からの手段の一つ以上から選択される乱流および混合生成手段を有すること、を特徴とする、装置によって特徴づけられる。
【００１６】
本発明の別の態様では、紫外線放射手段がこの触媒プレートを通り抜けるように、触媒プレートが配置される。
【００１７】
本発明のさらに別の態様では、この紫外線放射手段は約１３０から約４００ｎｍまでの範囲内の光を放射している。好ましくは、この紫外線放射手段は少なくとも１８７ｎｍの領域および２５４ｎｍの領域内の光を放射している。
【００１８】
本発明のさらに一つの態様によれば、触媒は、貴金属、アルミニウム酸化物、酸化チタン、酸化シリコンおよびその混合物のような、金属、金属酸化物または両方を備える。
【００１９】
本発明の別の態様では、この装置はさらに紫外線反射手段を備える。
【００２０】
一実施態様に従えば、紫外線反射手段はＰＴＦＥでできている手段である。
【００２１】
本発明のさらに別の態様では、前記紫外線生成手段が紫外線ランプを備え、前記紫外線ランプは、細長い紫外線透過性チューブ内に配置され、および前記チューブは、液体の流れ方向に対して概ね横方向に配置される。
【００２２】
本発明の一実施態様によれば、前記触媒は各プレート間の特定の距離で、スタックで配置される複数のプレートを備え、前記ランプが前記スタックを通して配置され、前記プレートの延長部分が、液体の流れ方向と概ね一致する。
【００２３】
本発明のさらに一つの態様によれば、前記エンクロージャ内に配置される複数のランプがあり、各ランプが、プレートのスタックを通して配置され、各スタックの間に距離があり、前記スタックに入って出るときに液体の乱流および混合を可能にする。
【００２４】
本発明のさらに一つの態様によれば、前記プレートが、前縁部が鋭く後縁部が丸いような断面設計を有する。
【００２５】
本発明は、この技術領域内の周知の装置と比べて複数の利点を有する。オゾンを作り出して、同時に触媒の使用によって、オゾンをフリーラジカルに分解するこのきわめて効果的な方法は、反応区域を通過する液体のあらゆる体積部分が、フリーラジカルにさらされることを、を確実にするために、きわめて完全な混合および乱流と組み合わせられて、きわめて完全な処理を提供する。乱流および混合は、本発明に従う多くの構成要素によって得られる。ランプの配置および形状が、１つの要素であり、ランプおよび流れ方向の両方に対する触媒の配置、同じく形状、表面性状はさらに、完全な混合に追加し、およびこの側面においてラジカルが最も強力である触媒表面に近いデッドゾーンの防止を追加する。したがって重要なのは、ランプから触媒の活性表面への光の搬送、表面の近傍への生物の運搬、および表面から液体体積へのラジカルの搬送が、最適化されることである。
【００２６】
内部面の少なくとも選択された部分が反射増加手段を配置されるので、紫外線のいくらかが吸収される場合と比べて、紫外線生成手段から放射される紫外線が非常により高い程度に使われ、それは、したがってより有効な処理プロセスに至る。さらに、必要パワーが減少される。
【００２７】
内部面は、反射増加特性を有する適切な材料によって覆われることができる。好ましくは、この材料はさらに処理ユニット内部の困難な条件および処理されるべき液体からの攻撃的な影響に耐える特性を有する。この材料はまた、スケール生成に対して効果的でなければならず、さもなければ使用中の反射効果を減少させるであろう。
【００２８】
本発明のこれらのおよび他の態様およびこれによる利点は、以下の詳述および添付図面から明らかになるであろう。
【図面の簡単な説明】
【００２９】
詳述において、参照が添付図面になされ、それについて、
【００３０】
【図１】本発明を含む、バラスト水を処理するためのシステムの概要である。
【図２】本発明に従う処理ユニットの１つの可能な実施態様を図式的に示す。
【図３】本発明内に含まれる触媒プレートのスタックの設計の一例を示す。
【図４】触媒プレートの設計の一例を示す。
【図５】触媒プレートの設計の別の例を示す。
【図６】特定の形の触媒プレートのスタックのさらに一つの例を示す。
【発明を実施するための形態】
【００３１】
本発明の一実施態様が、次に図面と関連して記述される。本発明は、有機物と反応するために短命のラジカルを活用する、水処理のためのいわゆる先端酸化技術（ＡＯＴ）を利用する。ＡＯＴは、１つの用途として船舶のバラストタンク内のバラスト水を処理するのに用いられることができる。
【００３２】
図１は、ＡＯＴ清浄器１０を含むバラスト水を処理するためのシステムを図式的に示す。海からこのシステムに入る水は、水に含まれるより大きい構成成分および物質を除去する、フィルタ１４を通して入口パイプ１２経由で、ポンプでくまれる。水は次いで、それが出口パイプ１６経由でバラストタンクに入る前に、ＡＯＴ清浄器１０を通過する。ＡＯＴ清浄器は、ユニットを通して流れる水を処理するために３つの重要な構成要素を活用する。１つは、紫外線生成手段、すなわち、光触媒作用および／または微生物の直接の除去および／または液体もしくはその中に溶解される構成成分内のフリーラジカルの直接の形成および／またはガスとして存在するかまたは液体内に溶解される酸素からのオゾンの直接の形成、に充分なエネルギの、＜３８０ｎｍの紫外線周波数域内の波長である。この波長は、第２の構成要素が水内にオゾンを生成し、および同時に、オゾンを分解してフリーラジカルを形成することを可能にする。第３の構成要素は、フリーラジカルの量を増大するために、オゾンおよびフリーラジカルが生成される反応性区域内に、触媒を配置している。
【００３３】
本発明が取扱う１つのきわめて重要な態様は、このユニットを通して流れる全ての水を、すなわち全ての水の流れを浄化するために、上記の処理にさらすことである。これを達成するために、全ての体積部分が３つの上記の構成要素にさらされること、すなわち、全ての水量が上述した反応区域または複数区域を通過するのを確認することが、きわめて重要である。これを達成する本発明の複数の態様が、以下に記述され、そこでは主要な目的が水の流れのきわめて良い混合を有することである。
【００３４】
図２内に図示された態様によれば、ＡＯＴ清浄器は、矩形の断面を備えた、および、エンクロージャの各先端に入口および出口２２、２４を備えた、概ね細長いエンクロージャとして、示された実施態様においてハウジング２０を備える。水がエンクロージャ内に流れているときに、それは入口と出口との間を細長いエンクロージャの方向に流れる。エンクロージャ内に、複数の紫外線放射光源２６が、仕切りの対向する壁の間に延伸する、石英ガラスの細長いチューブ２８内に配置される。光源は、適切な電源に接続されている。紫外線放射光源は、それが媒体内の酸素をオゾン分子（０３）に変換するために、および、オゾン分子を分解するために、１３０−４００ｎｍの領域の波長を放射するように、選択される。
【００３５】
本発明の一つの態様によれば、エンクロージャの内部面は反射増強手段を配置される。内部面のいずれの選択された部分も、反射増強手段または全ての内表面を備えている。反射増強手段は、ランプから放射される紫外線の「再使用」を提供する。これは、処理ユニットの内部にぶつかる光が反射されて、液体を処理し続ける点で非常により良い効果があるという効果を提供する。したがって何の光吸収もなく、それによって、紫外線ランプに必要なパワーが減少される。
【００３６】
反射増強手段として適切であろう複数の材料がある。１つの重要な因子は、この材料が、防腐特性などのような、ユニット内部でむしろ侵略的な状態に耐えることが可能でなければならないということである。
【００３７】
好結果であると判明した材料は、いくつかの重合物質および特にポリテトラフルオロエチレン（ＰＴＦＥ）のようなフッ素樹脂である。ＰＴＦＥは、きわめて高い反射能力を有し、したがって反射増強材料として適切である。それの他に、ＰＴＦＥはきわめて低摩擦係数を示して、また、海水のような侵略的な液体に対して耐性がある。これは、スケール生成を減少させてまたは除去しさえして、また、処理ユニットを通して水力摩擦を減少させる。この状況において、同様の特性を示す他の重合物質がＰＴＦＥの代わりに使われることができることは、理解されるべきである。重合物質は、また、鋼鉄または他の金属より非常に安価である。さらに、重合物質は、例えば貴金属、アルミニウム酸化物、酸化チタン、酸化シリコンおよびその混合物のような金属および／または金属酸化物のような、重合体内に分散される、例えば粉末状の触媒材料を準備されることができる。
【００３８】
ランプの配置
ガラス管は、流れ方向に対して実質的に垂直に配置される。図２内に図示された態様において、ランプは２つの列で配置されるが、しかし、エネルギ需用に従い、同様に１つの列だけまたは２つより多い列がありえる。以下の記述から、ランプの配置が、斜置のような、すなわち流れ方向に続いて変位される他の方法でなされることができることは、理解されるべきである。ハウジングが円筒状のユニットである場合、ランプはまた、半径方向に、割出されることもできる。重要なことは、ランプの配置によって乱流が生じて、渦および乱流混合を発生させるということである。この状況では、ランプスリーブが例えば、三角形、多角形、楕円形、星形のような混合を増加させる、円以外の断面の形状を有することもまた可能である。
【００３９】
触媒の配置
さらに、複数のプレート３０がエンクロージャ内に配置され、その延長部分が流れ方向と一致し、および、したがってランプの延長部分に対して垂直である。プレートは、それらの間に特定の距離を有するスタックで配置される。プレートは、ＡＯＴプロセスの触媒として働き、したがって、生成されるラジカルの量を高める。プレートは、したがって反応区域内に生成されるラジカルの数を増加させるために触媒特性を備えた材料でできている。この材料は、貴金属、アルミニウム酸化物、酸化チタン、酸化シリコンおよびその混合物のような、金属および／または金属酸化物を含むことができる。プレートの数およびそれらの間の距離は、例えばランプからの光のプレートの活性表面への搬送、表面の近傍内の生物の搬送、および液体体積への表面からのフリーラジカルの搬送、に関して最適化が得られるように選択される。
【００４０】
液体の乱流および混合、をさらに増強するために、シリンダのような追加の障害物３２、図３が、ランプの間に実装されてプレートに取り付けられることができ、それはまた、触媒プレート間の正しい距離を確実にするように働く。ランプおよび障害物は、リアクタ内の異なる体積部分の間に非対称およびしたがって圧差を作り出し、それによって混合を作り出すために、互いに異なる距離で配置され、および／または異なるサイズを有することができる。非対称は、流れ方向および流れ方向に対して横方向の両方とも作り出されることができる。この態様において流れ方向の追加の障害物は、一つおきの障害物が薄く、および、一つおきのもう一方の障害物がより厚いように、異なる幅または直径を有することができる。障害物は、また、例えば、三角形、多角形、楕円形、星形、のような他の断面形状を有することもできる。さらに、障害物は、フルオロプラスチック、アクリルプラスチックおよびこの種の特性を有する同様な重合体のような、反射材料を配置されることができる。
【００４１】
上記からみてしかしながら、何のデッドゾーンも、または、最適方法でさらされない流路が、作り出されないように、非対称が算出された方法で実行されなければならないことが留意されるべきである。
【００４２】
触媒の設計
触媒プレートは、好ましくはまた、反応区域内の乱流を増大しておよび／または促進するように設計されており、同じく表面領域を増大するように設計されている。使われることができるこれらの複数の異なる設計、形状および組合せがある。図４によれば触媒プレート３０は、エキスパンドメタルでできており、したがって、プレートを通して複数の送り穴または穴３４を作り出す。エキスパンドメタルの１つの利点は、穴の縁部が鋭く、したがって、乱流を増大する、ということである。設計の他のタイプは、押抜き、構造化プレス、波形化、溝などでありえる。ネット、織布または不織布、ワイヤーメッシュなどを使用することもまた、考えられる。これらはさらに、正しい特性を有する石英ガラス、ガラスファイバまたはその他の材料のような光透過性材料で作られることができる。プレートの表面および／またはプレートの構造の設計は、境界層がきわめて薄くなることを確実にし、それは、さもなければプレートの光触媒表面近傍の流体置換を妨げ、ラジカルが最も強力である表面に近い流れのデッドゾーンを作り出すであろう。境界層を減少させる他の方法は、例えば表面に珪砂を付けることによって、触媒の表面生を増加させることでありえる。
【００４３】
触媒の寸法
乱流および混合を増強するために実行されることができる更なる手段が、ある。図５は、図２とは対照的に、プレートがエンクロージャをずっと通して延伸せず、しかし、「中断され」、触媒プレートのスタックの間に中断されないスペース３６を形成する、実施態様を示す。これによって、スタックを出るときに液体内に乱流が生じ、および以降のスタックにぶつかるときに、プロセス→光触媒作用→混合→光触媒作用→混合が得られるように、更なる乱流が生じる。
【００４４】
スタックを出るときに、乱流をいっそうさらに増強するために、プレートが、各プレートのすなわち流れに面する前縁が鋭く、および、後縁が丸い断面設計を有することができる、図６。
【００４５】
装置の効率に影響を及ぼす他の側面が、ある。例えば、流量はより高い流量が境界層を減少させるそのような側面である。他方、あまりに高い流量は、バラスト水の体積部分が、効果的に処理されることなく処理区域中を通過することに至るであろう。この側面において、入口および出口領域が適切な方法で設計されることが、重要である。好ましくは、入口壁と出口壁の角度α、図２、は１５°未満で、好ましくは７°未満である。さらに、入出口領域は液体の流れを所望の方向に導くためのガイドプレートを配置されることができる。
【００４６】
理解されるべきことは、上に記述され、かつ図面内に示された本発明の実施態様は、本発明の限定されない例だけとしてみなされるべきであること、および、それが特許請求項の範囲内で多くの方法で変更されることができること、である。
【符号の説明】
【００４７】
１０  ＡＯＴ清浄器
１２  入口パイプ
１４  フィルタ
１６  出口パイプ
２０  ハウジング
２２  入口
２４  出口
２６  紫外線放射光源
２８  ガラスチューブ
３０  触媒プレート
３２  障害物
３４  穴
３６  スペース
【図１】
2010504199.tif 000003
【図２】
2010504199.tif 000004
【図３】
2010504199.tif 000005
【図４】
2010504199.tif 000006
【図５】
2010504199.tif 000007
【図６】
2010504199.tif 000008
【国際調査報告】
2010504199.tif 000009
2010504199.tif 000010
2010504199.tif 000011
2010504199.tif 000012